(57)【要約】【課題】  室内に空気を供給する換気扇、特に、天井裏のような室内空間以外に設けられた本体と室内空間に設けられた化粧パネルを有し、パネルの吹出口から空気を吹き出す換気扇であって、パネルの天井面から室内側への突出寸法を抑制するとともに吹出気流による天井面の汚れを低減させる換気扇を得る。【解決手段】  室外の空気を吸い込む室外給気口２と、室外給気口２からの空気を吸い込む給気用送風機１０と、給気用送風機１０からの空気を下面から吹き出す吹出口５とを備えたケーシング１、吹出口５からの空気がケーシング下面４との間から室内に吹き出すように吹出口５の下方に設けられたパネル７ａ、ケーシング下面４において吹出口５よりも室内に近い位置からパネル７ａに向かって伸びた上部突起１１、パネル７ａから上方に伸びた下部突起１２を備える。【選択図】  図４
2011094825.tif 000002
【特許請求の範囲】
【請求項１】
室外の空気を吸い込む室外給気口と、前記室外給気口からの空気を吸い込む給気用送風機と、前記給気用送風機からの空気を下面から吹き出す吹出口とを備えたケーシング、
前記吹出口からの空気が前記ケーシング下面との間から室内に吹き出すように前記吹出口の下方に設けられたパネル、
前記ケーシング下面において前記吹出口よりも前記室内に近い位置から前記パネルに向かって伸びた上部突起、
前記パネルから上方に伸びた下部突起
を備えた換気扇。
【請求項２】
上部突起は、給気用送風機側から室内側に向かって下方に傾斜する第１の面を備えた請求項１に記載の換気扇。
【請求項３】
上部突起は、第１の面よりも室内に近く、前記室内側から見た天井からの角度が１５０度以内である第２の面を備えた請求項２に記載の換気扇。
【請求項４】
下部突起は、給気用送風機側から室内側に向かってパネルからの角度が９０度以上で上方に傾斜する第３の面を備えた請求項１から３のいずれか１項に記載の換気扇。
【請求項５】
下部突起は、第３の面よりも室内に近く、前記室内側から見たパネルからの角度が１３５度以上１５０度以下である第４の面を備えた請求項４に記載の換気扇。
【請求項６】
ケーシング下面とパネルとの間にルーバーを備えた請求項１から５のいずれか１項に記載の換気扇。
【請求項７】
ケーシングは、下面から空気を吸い込む吸込口と、前記吸込口からの空気を吸い込む排気用送風機と、前記排気用送風機からの空気を室外に吹き出す室外排気口とを備え、
室外の空気が室外給気口から吹出口を経由して室内に至る給気風路と前記室内の空気が前記吸込口を経由して前記室外排気口に至る排気風路との間に設けられ、前記給気風路の空気と前記排気風路の空気との熱交換を行う熱交換器、
前記室内の空気が前記ケーシング下面との間から吸い込まれるように前記吸込口の下方に設けられた吸込口用パネル、
前記ケーシング下面において前記吸込口よりも前記室内に近い位置から前記吸込口用パネルに向かって伸びた吸込口用上部突起、
前記吸込口用パネルから上方に伸びた吸込口用下部突起
を備えた請求項１から６のいずれか１項に記載の換気扇。
【発明の詳細な説明】
【技術分野】
【０００１】
この発明は、室内に空気を供給する換気扇、特に、天井裏のような室内空間以外に設けられた本体と室内空間に設けられた化粧パネルを有し、パネルの吹出口から空気を吹き出す換気扇に関する。
【背景技術】
【０００２】
換気扇の一つであって、熱交換を行いながら給排気を同時に行う同時給排気形換気扇は、室内への空気吹出口と室内空気の吸込口とをケーシングの下面に有し、このケーシングが天井裏に設置されるとともに、ケーシングの下面であって室内空間にパネルが設けられ、ケーシングの下面とパネルとの間から室内に給気したり、室内から排気したりするものであった。
【先行技術文献】
【特許文献】
【０００３】
【特許文献１】特開昭６２−１５３６４２号公報
【特許文献２】特開昭６２−１５３６４３号公報
【発明の概要】
【発明が解決しようとする課題】
【０００４】
特許文献１及び２に記載のような同時給排気形換気扇では、熱交換器を通って室内に向かう空気がパネルに衝突して天井面と平行な風向となって室内に吹き出される。すると、吹出気流が天井に沿って流れるため、吹出気流に混じった埃等が天井面に付着して天井面が汚れるといった問題があった。
【０００５】
ここで、吹出気流が天井面に接しないように吹出気流を下に向けるルーバーを室内側吹出口に設置したとしても、室内側吹出口が天井付近にあるため、吹出気流はコアンダ効果により天井に引き寄せられて天井に沿って流れるといった問題があった。
また、吹出気流が天井に引き寄せられないように室内側吹出口を天井面から離すと、室内側吹出口を形成するパネルも天井面から離れることになり、パネルの天井面から室内側への突出寸法が大きくなるといった問題があった。
【０００６】
本発明は、上記の問題点を解決するためのもので、パネルの天井面から室内側への突出寸法を抑制するとともに、吹出気流による天井面の汚れを低減させる換気扇を得ることを目的とする。
【課題を解決するための手段】
【０００７】
本発明に係る換気扇は、室外の空気を吸い込む室外給気口と、室外給気口からの空気を吸い込む給気用送風機と、給気用送風機からの空気を下面から吹き出す吹出口とを備えたケーシング、吹出口からの空気がケーシング下面との間から室内に吹き出すように吹出口の下方に設けられたパネル、ケーシング下面において吹出口よりも室内に近い位置からパネルに向かって伸びた上部突起、パネルから上方に伸びた下部突起を備えたものである。
【発明の効果】
【０００８】
本発明によれば、吹出気流が上部突起によって天井面から離されて室内に吹き出すとともに、吹出気流のうち天井面と平行な成分の勢いが下部突起によって弱まり天井面に沿って流れる吹出気流が抑制されるので、天井面からのパネル突出寸法を抑えながら、室内に吹き出された気流を天井面から剥離させて天井面の汚れを低減させることができる。
【図面の簡単な説明】
【０００９】
【図１】本発明の実施の形態１に係る換気扇を室内側から見た斜視図
【図２】本発明の実施の形態１に係る換気扇を室内側から一部を透視した斜視図
【図３】本発明の実施の形態１に係る換気扇を室内側から一部を切り欠いて見た斜視図
【図４】本発明の実施の形態１に係る換気扇の断面図
【図５】図４における吹出口用上部突起１１及び吹出口用下部突起１２付近を拡大した図
【図６】図４における吸込口用上部突起１３及び吸込口用下部突起１４付近を拡大した図
【発明を実施するための形態】
【００１０】
実施の形態１．
図１は、本発明の実施の形態１に係る換気扇の室内側から見た斜視図である。この換気扇は天井裏に設置されるケーシング１を備え、ケーシング１の側面には、室外の空気をケーシング１に取り込む室外給気口２、及びケーシング１から室外に空気を排出する室外排気口３が設けられている。また、室内空間に面するケーシング下面４には、室外給気口２から取り込んだ空気を吹き出す吹出口５（図示せず）、及び室内の空気をケーシング１に吸い込む吸込口６（図示せず）が設けられている。
【００１１】
また、ケーシング下面４の下方には、室内空間に開口した吹出口５を覆うように吹出口用パネル７ａが吹出口５から所定の距離を開けて設けられるとともに、室内空間に開口した吸込口６を覆うように吸込口用パネル７ｂが吸込口６から所定の距離を開けて設けられている。吹出口５から室内空間に吹き出される空気はケーシング下面４と吹出口用パネル７ａとの間を流れ、室内空間から吸込口６に吸い込まれる空気もケーシング下面４と吸込口用パネル７ｂとの間を流れる。
なお、吹出口用パネル７ａと吸込口用パネル７ｂとは、ケーシング下面４に設けられたパネル外装枠８によって固定される。パネル外装枠８は、角筒状でケーシング下面４からケーシング１が設置される天井面の開口面の間に設けられ、吹出口５及び吸込口６から室内への空気の通路を形成する。
【００１２】
室外の空気は、供給空気として室外給気口２からケーシング１に入り、点線で示す給気風路Ａを流れた後、吹出口用パネル７ａとケーシング下面４との間から室内に吹き出される。
また、室内の空気は、排出空気として吸込口用パネル７ｂとケーシング下面４との間を流れて吸込口６に入り、点線で示す排気経路Ｂを流れた後、室外排気口２から室外に排出される。
これらの給気風路Ａと排気風路Ｂとは互いに独立して設けられており、給気風路Ａ内の供給空気と排気風路Ｂ内の排出空気とは混じることがない。
【００１３】
図２は、本発明の実施の形態１に係る換気扇を室内側から一部を透視した斜視図である。具体的には、図２は主に吹出口用パネル７ａと吸込口用パネル７ｂ、ケーシング下面４を透視した様子を示す。なお、図２において、図１を用いて説明した構成については同様の符号を付すとともに、説明を省略する。
【００１４】
図２において、給気風路Ａには給気用送風機１０が設けられており、給気用送風機１０によって室外給気口２からケーシング１内に吸引された空気は、熱交換器９を通り、給気用送風機１０に流入した後、ケーシング下面４における吹出口５から室内空間に吹き出される。
また、排気風路Ｂには排気用送風機１６が設けられており、排気用送風機１６によって吸込口６からケーシング１内に吸引された空気は、熱交換器９を通り、排気用送風機１６に流入した後、室外排気口３から室外に排出される。
【００１５】
給気風路Ａ及び排気風路Ｂには熱交換器９が位置しており、給気風路Ａ内の供給空気と排気風路Ｂ内の排出空気とは、熱交換器９を通過する際に互いに熱交換する。熱交換器９は、２つの通風路が互いに直交するように交互に積層された６面体であり、中を通過する給気風路Ａ内の供給空気と排気風路Ｂ内の排気用空気とは熱交換器９の異なる通風路を通過する。つまり、熱交換器９内における給気風路Ａと排気風路Ｂとは仕切られているため、熱交換は行っても給気と排気とが直接混じることはない。
ここでは、室外給気口２からの空気は、ケーシング下面４と平行な方向に熱交換器９内を流れて給気用送風機１０に流入するとともに、吸込口６からの空気は、ケーシング下面４と垂直な方向に熱交換器９内を流れた後に方向を変えて排気用送風機１６に流入しており、熱交換器９内においては給気風路Ａ内の供給空気と排気風路Ｂ内の排出空気とは直交して流れている。
なお、室外給気口２から熱交換器９に流入する空気と吸込口６から熱交換器９に流入する空気の方向は図２の形態の方向に限られず、互いに交わらずに異なる方向から熱交換器９に流入するように構成されていれば良い。
【００１６】
図３は、本発明の実施の形態１に係る換気扇であって一部を切り欠いたものを室内側から見た斜視図である。具体的には、図３は吹出口用パネル７ａ及び吸込口用パネル７ｂの一部、ケーシング下面４の一部を切り欠いてケーシング１の内部を見たときの様子を示す。なお、図３において、図１、２を用いて説明した構成については同様の符号を付すとともに、説明を省略する。
【００１７】
吹出口用パネル７ａはパネル外装枠８によりケーシング下面４の下方に取り付けられており、給気用送風機１０により吹出口５から室内空間に吹き出された空気はケーシング下面４と吹出口用パネル７ａとの間から室内空間に吹き出される。
また、図示しないものの、吸込口用パネル７ｂもパネル外装枠８によりケーシング下面４の下方に取り付けられており、室内空間の空気はケーシング下面４と吸込口用パネル７ｂとの間から吸込口６に流入する。
【００１８】
パネル外装枠８は角筒状となって吹出口５から室内空間に流入する空気及び室内空間から吸込口６に流入する空気が天井エリアに漏れることを防ぐともに、角筒状の部分から突出した部分に吹出口用パネル７ａ及び吸込口用パネル７ｂが設けられることで、空気がケーシング下面４と吹出口用パネル７ａ及び吸込口用パネル７ｂとの間を通ることができる。
【００１９】
また、ケーシング下面４から室内に至る空間において、吹出口５から室内に至る風路と室内から吸込口６に至る風路との間には、それぞれの空気が混じらないように仕切り板１７が設けられている。この実施の形態では、吹出口用パネル７ａと吸込口用パネル７ｂと仕切り板１７とを備えており、特に仕切り板１７は吹出口用パネル７ａと吸込口用パネル７ｂとの間から吹出口５と吸込口６との間に位置するように設けられているが、吹出口用パネル７ａと吸込口用パネル７ｂとが一体となった一枚のパネルをケーシング下面４の下方に設け、一枚のパネルの所定の位置から吹出口５と吸込口６との間にかけて仕切り板１７を設けても良い。なお、吹出口５から吹き出された供給空気と吸込口６に流入する排出空気とが混じらないようにすれば良いので、吹出口用パネル７ａと吸込口用パネル７ｂと仕切り板１７とを一体化しても良いし、仕切り板１７をケーシング下面４に一体化して設けても良い。
【００２０】
また、パネル外装枠８には壁面８ａ、８ｂが設けられ、壁面８ａ及び８ｂは吹出口５から吹き出されてケーシング下面４と吹出口用パネル７ａとの間を流れる供給空気の進行方向を一方向に規制する。また、ケーシング下面４と吸込口用パネル７ｂとの間を流れて吸込口６に向かう排気用空気の進行方向も一方向に規制している。
【００２１】
この実施の形態１に係る換気扇の給気用送風機１０は、給気流を生成する給気用羽根１０ａ、給気用羽根１０ａを回転させる給気用電動機１０ｂ（図示せず）、渦巻き状であって給気用羽根１０ａと給気用電動機１０ｂとを囲む給気用ファンケーシング１０ｃとから構成される。熱交換器９を流れた供給空気は給気用ファンケーシング１０ｃの中に入り、給気用羽根１０ａによって吹出口５から室内空間に吹き出される。
また、排気用送風機１６は、排気流を生成する排気用羽根１６ａ、排気用羽根１６ａを回転させる廃棄用電動機１６ｂ、渦巻き状であって排気用羽根１６ａと排気用電動機１６ｂとを囲む排気用ファンケーシング１６ｃとから構成される。熱交換器９を流れた排気用空気は排気用ファンケーシング１６ｃの中に入り、排気用羽根１６ａによって室外排気口３からケーシング１の外に吹き出される。
【００２２】
図３において、給気用送風機１０と排気用送風機１６とは、ケーシング１の２つの対角線のうち１つの対角線を形成する角のそれぞれに設けられ、熱交換器９は他方の対角線を形成する角の一つに設けられている。また、室外給気口２と熱交換器９と給気用送風機１０とは一方向に並び、排気用送風機１６は熱交換器９に対して熱交換器９内を流れる空気の流れと垂直の方向に位置するよう設けられている。
【００２３】
次に空気の流れについて説明する。
給気用送風機１０が作動し、給気用電動機１０ｂ（図示せず）が給気用羽根１０ａを回転させると、室外の空気は室外給気口２からケーシング１に吸い込まれて熱交換器９を通過して給気用送風機１０に流入する。室外給気口２と熱交換器９と給気用送風機１０とは一方向に並んでおり、室外給気口２からケーシング１に流入した空気は方向を変えずに給気用送風機１０まで流れた後、ケーシング下面４の吹出口５から下方に吹き出される。
吹出口５から吹き出された供給空気は、吹出口用パネル７ａに衝突して吹出口用パネル７ａと平行な方向に向きを変えるとともに、仕切り板１７、壁８ａ・８ｂにより一つの方向に規制されて室内空間に吹き出される。
【００２４】
また、排気用送風機１６が作動し、排気用電動機１６ｂが排気用羽根１６ａを回転させると、室内の空気は、仕切り板１７、壁８ａ・８ｂにより一つの方向に規制されながら、ケーシング下面４と吸込口用パネル７ｂとの間から吸込口６に流入する。吸込口６からケーシング１に流入した排出空気は上下方向に流れを変えて熱交換器９に流入し、その後向きを変えて排気用送風機１６に向かう。排気用送風機１６は室外排気口３に連通しており、排気用空気は室外排気口３からケーシング１外に排出される。
給気風路Ａ内の供給空気と排気風路Ｂ内の排気用空気とは熱交換器９において熱交換を行うので、排気熱を回収して冷暖房にかかる負荷を軽減することができる。
【００２５】
図２，３では、室外給気口２と熱交換器９と給気用送風機１０とが一方向に並んでケーシング１内の給気風路Ａが一方向になるようにし、熱交換器９と排気用送風機１６との方向が給気風路Ａの方向と垂直方向になるように構成したが、給気風路Ａと排気風路Ｂとが独立した風路を有するとともに熱交換器９において給気風路Ａの供給空気と排気風路Ｂの排出空気とが熱交換をするのであれば、給気風路Ａ及び排気風路Ｂの方向は上記の構成に限られない。
【００２６】
図４は、本発明の実施の形態１に係る換気扇の一部を透視した室内側から見た斜視図である。また、図５は図４における吹出口用上部突起１１及び吹出口用下部突起１２付近を拡大した図であり、図６は図４における吸込口用上部突起１３及び吸込口用下部突起１４付近を拡大した図である。図１−３を用いて説明した構成については同様の符号を付すとともに、説明を省略する。
室外給気口２と熱交換器９と給気用送風機１０とは一方向に並んでおり、室外給気口２からケーシング１内に流入した空気は、室外給気口２から給気用送風機１０に向かって方向を変えずに流れた後、給気用送風機１０により吹出口５から下方に向かって吹き出される。
【００２７】
また、吸込口６の上には熱交換器９が位置しており、吸込口６から吸引された室内空気は、下から上に向かって熱交換器９を通過した後、方向を変えて排気用送風機１６（図示せず）に流入した後、室外排気口３（図示せず）からケーシング１外に排出される。
【００２８】
吹出口５の付近、特に室内に近い部分には、ケーシング下面４から吹出口用パネル７ａに向かって伸びる吹出口用上部突起１１が設けられている。また、吹出口用パネル７ａには、吹出口用パネル７ａから吹出口５に向かって伸びる吹出口用下部突起１２が設けられている。
つまり、吹出口用上部突起１１は天井面側から下方（室内側）に向かって伸び、吹出口用下部突起１２は吹出口用パネル７ａ側から天井（上方）に向かって伸びている。
【００２９】
また、吸込口６付近、特に室内に近い側には、ケーシング下面４から吸込口用パネル７ｂに向かって伸びる吸込口用上部突起１３が設けられている。また、吸込口用パネル７ｂには、吸込口用パネル７ｂから吸込口６に向かって伸びる吸込口用下部突起１４が設けられている。
つまり、吸込口用上部突起１３は天井面から下方（室内側）に向かって伸び、吸込口用下部突起１４は吸込口用パネル７ｂ側から天井（上方）に向かって伸びている。
【００３０】
また、ケーシング下面４と吹出口用パネル７ａとの間、具体的には吹出口用上部突起１１と吹出口用下部突起１２との間には、室内に吹き出す空気の気流の向きを変更させるルーバー１５ａが設けられている。同様に、ケーシング下面４と吸込口用パネル７ｂとの間、具体的には吸込口用上部突起１３と吸込口用下部突起１４との間には、室内から吸込口６に吸い込まれる空気の気流の向きを変更させるルーバー１５ｂが設けられている。
【００３１】
次に、主に図４を用いてケーシング１内の供給空気が室内に吹き出される場合の流れについて説明する。
室外給気口２からケーシング１内に流入して熱交換器９、給気用送風機１０の順に流れた供給空気は、ケーシング下面４の吹出口５から室内空間に吹き出される。この吹出口５から吹き出された供給空気は、吹出口用パネル７ａに衝突して流れの方向を変更し、吹出口用パネル７ａに沿って室内に向かって流れる。
【００３２】
吹出口用パネル７ａに沿って吹出口用パネル７ａと同じ方向に流れる供給空気は、吹出口用上部突起１１に当たり、下方に向かう。特に、吹出口用上部突起１１には吹出口５に近い面に吹出口５から室内に向かって下方に傾斜する面（第１の面）１１ａが設けられており、吹出口５から流れ出た供給空気はこの下方に傾斜する面１１ａに沿って斜め下方に流れる。このように、換気扇から室内空間に供給された空気は天井から離れる方向に吹き出されるので、天井に沿うような供給空気の量が低減してコアンダ効果も抑制されるため、供給空気に含まれ天井に接する埃の量も抑制され、天井汚れを低減させることができる。
【００３３】
また、吹出口用上部突起１１は下方に傾斜する面１１ａと反対側で室内に近い面（第２の面）１１ｂも有する。図４においては、面１１ｂは室内側から見て天井面から垂直になるように設けられている。面１１ｂの天井面からの角度が９０度より小さいと、面１１ｂと天井面との間に埃が蓄積する可能性があったり、吹出口用上部突起１１の先端と天井面との間の空間が生じることで天井面における換気扇の取り付け付近の美観が損なわれたり、吹出口用上部突起１１を天井面に保持するために吹出口用上部突起１１や吹出口用上部突起１１の取り付け部付近の強度を高める必要があったりする。これらの問題を避けるために、面１１ｂの天井面からの角度θ１は少なくとも９０度以上であることが望ましい。
【００３４】
また、吹出口用パネル７ａには吹出口用下部突起１２が設けられており、吹出口用パネル７ａに沿って吹出口用パネル７ａと同じ方向に流れる供給空気は、吹出口用下部突起１２に当たるため、吹出口用パネル７ａや天井面と平行の気流成分が弱められる。供給空気の天井面と平行の気流成分が減ることでコアンダ効果も抑制されるので、天井汚れを更に抑制することができる。
【００３５】
また、吹出口用下部突起１２は吹出口５に近い側に吹出口用パネル７ａから垂直に伸びる面（第３の面）１２ａを有する。吹出口５から吹き出されて吹出口用パネル７ａに沿って流れる供給空気は面１２ａに衝突して水平方向の流れ成分が弱められるが、面１２ａの角度θ３、つまり吹出口５側から室内を見たときの吹出口用パネル７ａからの面１２ａの角度が９０度よりも小さいと、吹出口５から吹き出された空気は面１２ａにより再び吹出口５方向に流れたり、吹出口５と面１２ａとが作る空間に供給空気が滞留してしまい換気効率が悪くなる。従って、角度θ３は９０度以上で吹出口用パネル７ａから天井面に向かって上方に傾斜していることが望ましい。
【００３６】
さらに、吹出口用上部突起１１と吹出口用下部突起１２との間には、ルーバー１５ａが設けられている。ルーバー１５ａを吹出口５側から室内空間に向かって下に傾斜するように設けることで、供給空気の天井と平行な方向の気流を弱め、天井面に対して斜め下方の気流成分を強めることができるため、より効果的に天井から気流を剥離させてコアンダ効果を抑制することができる。
また、ルーバー１５ａの角度を調整することができるようにすれば、供給空気の吹き出し方向を調整することができるので、使用者が受けるドラフト感を抑制することもできる。
【００３７】
ここで、天井面からの吹出口用パネル７ａや吸込口用パネル７ｂの突出寸法について検討する。
換気扇の供給空気の平均風速は約４ｍ／秒であり、風速４ｍ／秒の空気が吹出口用上部突起１１とケーシング下面４と吹出口用パネル７ａとの間を通って室内空間に吹き出される場合に騒音が発生せず無理なく吹き出されるような距離Ａは約３５ｍｍである。このときの吹出口用上部突起１１の天井面からの高さをＹとすれば、天井面からの吹出口用パネル７ａの高さ（突出寸法）は以下のように表される。
Ｘ＝Ｙ＋Ａ（３５ｍｍ）
【００３８】
まず、換気扇に吹出口用上部突起１１のみが設けられていた場合について実験したところ、吹出口用上部突起１１の高さＹ≧２００ｍｍであれば、吹出口用下部突起１２がなくとも吹出口用上部突起１１のみでもコアンダ効果を抑制して天井汚れを抑制することができた。このときには、吹出口用パネル７ａの天井面からの突出寸法Ｘ≧２３５ｍｍとなる。
【００３９】
次に、吹出口用下部突起１２を設けたところ、吹出口用上部突起１１の高さＹ≒２５ｍｍでも供給空気のコアンダ効果を抑制することができた。このときには、吹出口用パネル７ａの天井面からの突出寸法Ｘ≒６０ｍｍであり、突出寸法を大幅に抑えることができるので、換気扇全体の大きさも抑えることができるとともに、パネル部分の突出寸法を小さくできるので、天井部分のデザイン性を高めることができる。
【００４０】
更に、ルーバー１５ａを設けて吹き出し気流をさらに下向きに変更することで吹出口用上部突起１１の高さＹ≒１５ｍｍ、吹出口用パネル７ａの天井面からの突出寸法Ｘ≒５０ｍｍにしてもコアンダ効果を抑制することができた。
なお、ルーバー１５ａを吹出口５から室内空間までの給気風路内に設けると、室内空間への吹出口部分の有効開口面積が縮小する。このため、有効開口面積を確保するには開口高さＡを増やす必要があるが、ルーバー１５ａの厚み等を考慮して開口高さＡを５ｍｍ増やして４０ｍｍとした場合であっても、吹出口用パネル７ａの天井面からの突出寸法Ｘは１５＋４０＝５５ｍｍであり、換気扇の突出部分を十分薄型化することができる。
このように、ルーバー１５ａを設けても換気扇の突出部分を薄型化することができ、ルーバー１５ａを可動にすることでドラフト感を防止することもできる。
【００４１】
また、図５においては、吹出口用上部突起１１の室内側に近い面１１ｂの室内側から見た天井面からの角度θ１を９０度としたとき、上記の実験において吹出口用上部突起１１の高さＹ＜１５ｍｍではコアンダ効果が抑制されず、Ｙ≧１５ｍｍであればコアンダ効果が抑制されることを確認した。さらに、面１１ｂの角度θ１を大きくしてθ１＞１５０度となった場合には、吹出口５からの気流が吹出口用上部突起１１の下方に傾斜する面１１ａに沿って流れた後、吹出口用上部突起１１から下方に流れずに天井面に向かって流れることを確認した。つまり、θ１＞１５０度であると、面１１ｂとの間でコアンダ効果が発生し、気流が面１１ｂおよび天井面に沿ってしまい、これを抑制するためには吹出口用上部突起１１の高さＹ、ひいては吹出口用パネル７ａの突出寸法Ｘを大きくする必要が生じるため、吹出口用パネル７ａの突出寸法Ｘを抑えるには、面１１ｂの天井面からの角度θ１が、９０度≦θ１≦１５０度であることが望ましく、更には、吹出口用上部突起１１の先端と吹出気流とを効果的に分離させてパネル外装枠８の幅寸法（パネル外装枠８のケーシング１への取り付け側からパネル７ａへの距離）を抑えるためには、角度θ１が９０度であることが望ましい。
【００４２】
また、吸込口用パネル７ｂにおける吹出口用下部突起１２により天井面と平行な成分の気流を弱めることができるが、面１２ａと反対で室内に近い面１２ｂを吹出口５から室内に向かって下方に傾斜するようにすれば、供給空気の下方への流れをスムーズにすることができる。特に、吹出口用上部突起１１の面１１ａと平行にすれば、吹出口５からの供給空気の圧損に影響を与えることがない。
なお、面１２ｂの傾きを急にして供給空気が天井面から更に剥離するようにしても良いが、面１２ｂの傾きを大きく取ることで吹出口用パネル７ａの突出寸法も大きくなるため、面１２ｂの吹出口５から室内に向かって見た吹出口用パネル７ａからの角度θ４は３０度≦θ４≦４０度、逆に言えば室内側から見たときの吹出口用パネル７ａからの角度は１３５度以上１５０度以下であることが望ましい。
【００４３】
また、吸込口６付近及び吸込口用パネル７ｂにも吸込口用上部突起１３、吸込口用下部突起１４、吸込口用上部突起１３と吸込口用下部突起１４との間にルーバー１５ｂを設けたので、吸込口６に流入する室内の空気は、斜め下方から吸込口６に向かって吸込口６に流れる。これにより、天井面に沿って流れる排出空気の量を抑制し、吸込口６付近の天井汚れを抑制することができる。
【００４４】
また、吸込口用上部突起１３の吸込口６に近い部分には室内側から吸込口６に向かって上方に傾斜する面１３ａを有するともに、吸込口用下部突起１４の室内側に近い部分には室内側から吸込口６に向かって上方に傾斜する面１４ａを有するので、室内の空気は、吸込口６に向かって上方にスムーズに流れて、排気効率も高めることができる。
【００４５】
ところで、この実施の形態１では、室外からの空気を吸い込んで室内に供給するとともに室内の空気を吸い込んで室外に排出する同時給排気型換気扇について説明した。しかし本願発明は、同時給排気型換気扇に限られず、室外の空気を室内に供給する換気扇であっても良い。この場合でも、吹出口用上部突起１１、吹出口用下部突起１２、ルーバー１５ａを有することで、パネルの天井面からの突出寸法を抑えながらも、コアンダ効果を抑制し、ひいては天井汚れを抑制する換気扇を得ることができる。同様に、室内の空気を排出する換気扇についても、吸込口用上部突起１３、吸込口用下部突起１４、ルーバー１５ｂを有することで、パネルの天井面からの突出寸法を抑えながらも、天井汚れを低減させる換気扇を得ることができる。
【００４６】
また、実施の形態１では、換気扇のケーシング１が天井裏に位置し、ケーシング下面４や吹出口用パネル７ａ、吸込口用パネル７ｂ等が天井面に沿って位置する場合について説明した。この場合には天井におけるパネルの突出寸法を抑えながらも天井面の汚れを低減させることができるが、換気扇を天井面以外に設けても良い。例えば、ケーシング１を建物の側面であって室外空間に設けるとともに、吹出口５や吸込口６を室内の側面に開口させ、吹出口用パネル７ａや吸込口用パネル７ｂを室内の側面に設けた場合でも、コアンダ効果が抑制され、室内の側面の汚れを抑制することができる。同様に、室内の側面における吹出口５や吸込口６付近の汚れを低減させることができる。
【符号の説明】
【００４７】
１  ケーシング、２  室外給気口、３  室外排気口、４  ケーシング下面、５  吹出口、６  吸込口、７ａ  吹出口用パネル、７ｂ  吸込口用パネル、８  パネル外装枠、９  熱交換器、１０  給気用送風機、１１  吹出口用上部突起、１２  吹出口用下部突起、１３  吸込口用上部突起、１４吸込口用下部突起、１５ａ  ルーバー、１５ｂ  ルーバー、１６  排気用送風機、１７  仕切り板
【図１】
2011094825.tif 000003
【図２】
2011094825.tif 000004
【図３】
2011094825.tif 000005
【図４】
2011094825.tif 000006
【図５】
2011094825.tif 000007
【図６】
2011094825.tif 000008